【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
所定の制御手順に従って、遊技の制御を行う制御手段と、
その制御手段による制御に用いるための制御データとして、遊技に関する設定を行う設定先を示す複数の設定先データで構成された設定先データ群を少なくとも記憶した記憶手段とを備え、
前記制御手段は、
前記制御手順に従って、前記記憶手段に記憶された前記設定先データ群から前記設定先データを順に読み出す読出処理と、
その読出処理により１の設定先データが読み出される毎に、その読み出された設定先データが示す設定先に、予め定めた共通の設定値を設定する設定処理とを繰り返し行うものであり、
前記読出処理と前記設定処理とを繰り返し行っている間に予め定めた特定条件が成立した場合に、前記読出処理および前記設定処理のいずれとも異なる他の処理に移行させることが可能に構成されているものであることを特徴とする遊技機。
【請求項２】
前記制御手段は、前記読出処理において、前記設定先データ群から前記設定先データを予め定めた特定の順序で読み出すものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、複数の設定先に設定値を設定する処理を行うものがある。かかる遊技機では、設定値を設定するために、例えば、設定値を設定するための設定先と、その設定先に設定する設定値とをＲＯＭ等の記憶手段に予め規定しておき、記憶手段に規定された内容に従って設定を行っている。
【手続補正３】
【補正対象書類名】明細書
【補正対象項目名】０００４
【補正方法】変更
【補正の内容】
【０００４】
しかしながら、かかる遊技機では、設定値を好適に設定することができなくなってしまう虞があった。
【手続補正４】
【補正対象書類名】明細書
【補正対象項目名】０００５
【補正方法】変更
【補正の内容】
【０００５】
本発明は、上記例示した問題点を解決するためになされたものであり、設定値を好適に設定できる遊技機を提供することを目的としている。
【手続補正５】
【補正対象書類名】明細書
【補正対象項目名】０００６
【補正方法】変更
【補正の内容】
【０００６】
この目的を達成するために請求項１記載の遊技機は、所定の制御手順に従って、遊技の制御を行う制御手段と、その制御手段による制御に用いるための制御データとして、遊技に関する設定を行う設定先を示す複数の設定先データで構成された設定先データ群を少なくとも記憶した記憶手段とを備え、前記制御手段は、前記制御手順に従って、前記記憶手段に記憶された前記設定先データ群から前記設定先データを順に読み出す読出処理と、その読出処理により１の設定先データが読み出される毎に、その読み出された設定先データが示す設定先に、予め定めた共通の設定値を設定する設定処理とを繰り返し行うものであり、前記読出処理と前記設定処理とを繰り返し行っている間に予め定めた特定条件が成立した場合に、前記読出処理および前記設定処理のいずれとも異なる他の処理に移行させることが可能に構成されているものである。
【手続補正６】
【補正対象書類名】明細書
【補正対象項目名】０００７
【補正方法】変更
【補正の内容】
【０００７】
請求項２記載の遊技機は、請求項１記載の遊技機において、前記制御手段は、前記読出処理において、前記設定先データ群から前記設定先データを予め定めた特定の順序で読み出すものである。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明の遊技機によれば、所定の制御手順に従って、遊技の制御を行う制御手段と、その制御手段による制御に用いるための制御データとして、遊技に関する設定を行う設定先を示す複数の設定先データで構成された設定先データ群を少なくとも記憶した記憶手段とを備え、前記制御手段は、前記制御手順に従って、前記記憶手段に記憶された前記設定先データ群から前記設定先データを順に読み出す読出処理と、その読出処理により１の設定先データが読み出される毎に、その読み出された設定先データが示す設定先に、予め定めた共通の設定値を設定する設定処理とを繰り返し行うものであり、前記読出処理と前記設定処理とを繰り返し行っている間に予め定めた特定条件が成立した場合に、前記読出処理および前記設定処理のいずれとも異なる他の処理に移行させることが可能に構成されているものである。
【手続補正９】
【補正対象書類名】明細書
【補正対象項目名】００１０
【補正方法】変更
【補正の内容】
【００１０】
これにより、設定値を好適に設定することができるという効果がある。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】０５０９
【補正方法】変更
【補正の内容】
【０５０９】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、遊技状態が変更される場合等に、遊技状態に関する設定を行う複数の設定先に設定値をセットすることで状態を変更するものがある。かかる遊技機では、設定値をセットするために、設定値をセットする設定先と、その設定先に設定する設定値とをＲＯＭ等の記憶手段に予め規定しておき、状態が変更される場合は、記憶手段に規定された内容に従って設定を行っている（例えば、特許文献１：特開２００２−０００９０５号公報）。
しかしながら、かかる遊技機の複数の設定先の中には、互いに設定値が共通している設定先が存在することがある。この場合、記憶手段において、設定値をセットする設定先の数だけ共通の設定値を規定しておかなければならないので、同一のデータが複数回規定されることとなり、記憶手段のデータ量が増加する虞があった。
本技術的思想は、上記例示した問題点を解決するためになされたものであり、データ量を削減することのできる遊技機を提供することを目的としている。
＜手段＞
この目的を達成するために技術的思想１の遊技機は、所定の制御手順に従って、遊技の制御を行う制御手段と、その制御手段が遊技に関する設定を行う設定先を示す設定先データを複数記憶した記憶手段とを備え、前記制御手段は、前記制御手順に従って、前記記憶手段から前記設定先データを順に読み出す読み出し処理と、その読み出し処理により読み出された設定先データが示す設定先に、所定の設定値をそれぞれ設定する設定処理とを繰り返し行うものである。
技術的思想２の遊技機は、技術的思想１記載の遊技機において、前記制御手段は、前記読み出し処理によって１の設定先データが読み出される毎に、その読み出された１の設定先データに基づいて前記設定処理を行うものである。
技術的思想３の遊技機は、技術的思想１又は２に記載の遊技機において、前記設定先データは、前記制御手段によって読み出される順番に規定されているものである。
＜効果＞
技術的思想１記載の遊技機によれば、所定の制御手順に従って、遊技の制御が行われる制御手段が遊技に関する設定を行う設定先を示す複数の設定先データが、記憶手段によって記憶される。その記憶手段から制御手順に従って設定先データを順に読み出す読み出し処理と、その読み出し処理によって読み出された設定先データが示す設定先に、所定の設定値をそれぞれ設定する設定処理とが、制御手段によって繰り返し行われる。
これにより、読み出し処理によって読み出される設定先データに設定するための設定値を遊技機に記憶しておかなくても、設定処理によって所定の設定値を設定できる。よって、所定の設定値に記憶するデータ量を削減することができるという効果がある。
技術的思想２記載の遊技機によれば、技術的思想１記載の遊技機の奏する効果に加え、読み出し処理によって１の設定先データが読み出される毎に、その読み出された１の設定先データに基づいて制御手段により設定処理が行われるので、読み出し処理によって読み出され、設定処理によって設定されるデータ量が最小限で済むという効果がある。
技術的思想３記載の遊技機によれば、技術的思想２記載の遊技機の奏する効果に加え、次の効果を奏する。即ち、設定先データが、制御手段によって読み出される順番に規定されているので、読み出し処理の度に、記憶手段に記憶されているデータのうち、いずれのデータを次に読み出すべきか判断するという処理を行う必要が無い。これにより、制御手段の処理負荷を軽減することができるという効果がある。
【手続補正１３】
【補正対象書類名】明細書
【補正対象項目名】０５１０
【補正方法】変更
【補正の内容】
【０５１０】
１０                      パチンコ機（遊技機）
１１０                    主制御装置（制御手段）
２０２                    ＲＯＭ（記憶手段）
２０２ｈ                  大当たり終了時クリアテーブル（記憶手段）
２０２ｊ                  大当たり終了時初期値設定テーブル（記憶手段）
Ｓ１５０２，Ｓ１５１３    読出処理
Ｓ１５０４，Ｓ１５１１，Ｓ１５１５    設定処理